(57)【要約】【課題】簡素な構成で防水性の確保とノイズ対策を行うことを目的とする。【解決手段】コネクタ１０は、相手側筐体１００とシールドパイプ１５０の間を繋ぐコネクタ１０であって、前記相手側筐体１００の相手側部材１１０に固定された相手側端子１１３と接続可能な端子５０と、前記端子５０に接続されて引き出され、前記シールドパイプ１５０に覆われる電線６０と、前記端子５０を保持するハウジング本体部３０及び該ハウジング本体部３０から引き出されて露出した前記電線６０の前記シールドパイプ１５０側の箇所を保持する電線保持部４０からなるハウジング２０と、前記ハウジング２０及び露出した前記電線６０を覆う筒状の導電性ゴム７０とを備えており、前記導電性ゴム７０の一端が前記シールドパイプ１５０に水密可能に固定され、かつ電気的に接続されており、前記導電性ゴム７０の他端が前記相手側筐体１００に水密可能に固定され、かつ電気的に接続される。【選択図】図１
2015122249.tif 000002
【特許請求の範囲】
【請求項１】
相手側筐体とシールドパイプの間を繋ぐコネクタであって、
前記相手側筐体内の相手側部材に固定された相手側端子と接続可能な端子と、
前記端子に接続されて引き出され、前記シールドパイプに覆われる電線と、
前記端子を保持するハウジング本体部及び該ハウジング本体部から引き出されて露出した前記電線の前記シールドパイプ側の箇所を保持する電線保持部からなるハウジングと、
前記ハウジング及び露出した前記電線を覆う筒状の導電性ゴムとを備えており、
前記導電性ゴムの一端が前記シールドパイプに水密可能に固定され、かつ電気的に接続されており、前記導電性ゴムの他端が前記相手側筐体に水密可能に固定され、かつ電気的に接続されるコネクタ。
【請求項２】
前記ハウジングが前記相手側筐体もしくは前記相手側部材に嵌合される部分を有しており、該ハウジングの嵌合方向と、前記シールドパイプの軸方向とが異なっている請求項１に記載のコネクタ。
【請求項３】
前記ハウジングは前記電線保持部が前記ハウジング本体部から一体となって突出する構成となっており、
前記ハウジング本体部は前記相手側筐体もしくは前記相手側部材にボルト止めされている請求項２に記載のコネクタ。
【請求項４】
前記端子と前記相手側端子とは嵌合により接続しており、
前記電線は被覆電線であって、前記ハウジング本体部と前記電線保持部との間で露出した電線の被覆が剥ぎ取られて、芯線がむき出しになることで撓みやすくなっている請求項１から請求項３のいずれか１項に記載のコネクタ。
【請求項５】
前記導電性ゴムは、前記相手側筐体に固定される端部及び前記シールドパイプに固定される端部において金属クランプや結束バンド等で固定されている請求項１から請求項４のいずれか１項に記載のコネクタ。
【請求項６】
前記相手側部材には、前記相手側端子を収容する端子収容部が形成されており、
前記ハウジング本体部には、前記端子を収容しつつ、前記端子収容部と嵌合可能な端子保持部が形成されており、
前記端子収容部と前記端子保持部とが凹凸嵌合することで、前記相手側端子と前記端子とを位置決めする請求項１から請求項５のいずれか１項に記載のコネクタ。
【請求項７】
前記端子収容部の周囲に位置決め穴が形成されており、
前記ハウジング本体部には、前記位置決め穴に挿入可能な位置決めピンが形成されており、
前記位置決め穴と前記位置決めピンとが凹凸嵌合することで、前記相手側端子が前記端子とを補助的に位置決めする請求項６に記載のコネクタ。 
【発明の詳細な説明】
【技術分野】
【０００１】
本発明は、コネクタに関する。
【背景技術】
【０００２】
一般的に、自動車等では高電圧の電流を流す場合にはそのノイズ対策としてコネクタの周囲に編組線やシールドシェルなどを用いることが行われている。また、電線等の外周を水が伝わってコネクタ内部に浸入すると、絶縁性が失われるために、防水性を確保する必要がある。
【０００３】
例えば、特許文献１においては、防水性を確保しながら、シールドシェルを用いたコネクタが開示されている。このコネクタは、電線の末端と接続される板状端子と、板状端子を収容するリヤハウジングと、板状端子に接続されかつ相手端子に接続されるメス端子を収容するフロントハウジングと、電線の周囲に成形される成形防水部とから成り立っている。このリヤハウジングの周縁にシールドシェルが用いられることで、このコネクタ及び電線に関するノイズ対策が行われている。
【先行技術文献】
【特許文献】
【０００４】
【特許文献１】特開２０１３−２３２３６７号公報
【発明の概要】
【発明が解決しようとする課題】
【０００５】
しかしながら、特許文献１の構成では、ハウジングが複数の部材から成り立ち、その間についても防水性を確保しなければならず、構造が複雑で、部品点数も多く、さらには組み立て工程も複雑であった。
【０００６】
本発明は上記のような事情に基づいて完成されたものであって、簡素な構成で防水性の確保とノイズ対策を行うことを目的とする。
【課題を解決するための手段】
【０００７】
本発明のコネクタは、相手側筐体とシールドパイプの間を繋ぐコネクタであって、前記相手側筐体内の相手側部材に固定された相手側端子と接続可能な端子と、前記端子に接続されて引き出され、前記シールドパイプに覆われる電線と、前記端子を保持するハウジング本体部及び該ハウジング本体部から引き出されて露出した前記電線の前記シールドパイプ側の箇所を保持する電線保持部からなるハウジングと、前記ハウジング及び露出した前記電線を覆う筒状の導電性ゴムとを備えており、前記導電性ゴムの一端が前記シールドパイプに水密可能に固定され、かつ電気的に接続されており、前記導電性ゴムの他端が前記相手側筐体に水密可能に固定され、かつ電気的に接続される。
【０００８】
このような構成によると、筒状の導電性ゴムによってハウジング及び露出した電線を覆うことが可能となっている。また、導電性ゴムの両端でそれぞれシールドパイプと相手側筐体に水密状態で固定されることから、コネクタの防水性を確保することが可能となる。また、導電性ゴムがシールドパイプと相手側筐体を電気的に接続することになるため、ノイズ対策も可能となる。さらに、相手側筐体とシールドパイプの間の防水とノイズ対策の機能を導電性ゴムで行うことになるため、従来のものに比べて部品点数及び工数の削減が可能となる。
【０００９】
本発明のコネクタの実施の態様として、以下の構成としてもよい。
前記ハウジングが前記相手側筐体もしくは相手側部材に嵌合される部分を有しており、該ハウジングの嵌合方向と、前記シールドパイプの軸方向とが異なっている構成としても良い。
このような構成では、ハウジングの嵌合方向とシールドパイプの軸方向が異なっているため、通常の板金成形によるシールドシェルを用いた場合には、加工が難しくなる。そこで、本発明のような導電性ゴムを用いることが好適である。
【００１０】
前記ハウジングは前記電線保持部が前記ハウジング本体部から一体となって突出する構成となっており、前記ハウジング本体部は前記相手側筐体もしくは相手側部材にボルト止めされている構成としても良い。
このような構成では、電線保持部で電線を保持しており、ハウジング本体部が剛体である相手側筐体もしくは相手側部材にボルト止めされているため、電線を経由して伝わってくる振動の伝播を防ぐことができる。つまり、電線側から伝わってくる振動を電線保持部で遮断することが可能になる。
【００１１】
前記端子と前記相手側端子とは嵌合により接続しており、前記電線は被覆電線であって、前記ハウジング本体部と前記電線保持部との間で露出した電線の被覆が剥ぎ取られて、芯線がむき出しになることで撓みやすくなっている構成としても良い。
このような構成では、ヒートサイクルによって高温と低温に曝されることで発生する端子間嵌合における微摺動摩耗を、むき出しになった芯線部分の撓み及び伸び縮みによって防止することが可能となる。また、撓む箇所を形成するために編組線などを利用するのに比べて、部品点数を少なくすることができる。
【００１２】
前記導電性ゴムは、前記相手側筐体に固定される端部及び前記シールドパイプに固定される端部において金属クランプや結束バンド等で固定されている構成としても良い。
このような構成では、汎用品である金属クランプや結束バンド等で導電性ゴムの端部を固定することで相手側筐体及びシールドパイプに導電性ゴムが固定されるため、専用部材などが必要なく、固定も容易になる。
【００１３】
前記相手側部材には、前記相手側端子を収容する端子収容部が形成されており、前記ハウジング本体部には、前記端子を収容しつつ、前記端子収容部と嵌合可能な端子保持部が形成されており、前記端子収容部と前記端子保持部とが凹凸嵌合することで、前記相手側端子と前記端子とを位置決めする構成としても良い。
このような構成では、ハウジングと相手側筐体との間で位置決めがされることになり、相手側端子と端子との接続が行いやすくなる。
【００１４】
前記端子収容部の周囲に位置決め穴が形成されており、前記ハウジング本体部には、前記位置決め穴に挿入可能な位置決めピンが形成されており、前記位置決め穴と前記位置決めピンとが凹凸嵌合することで、前記相手側端子が前記端子とを補助的に位置決めする構成としても良い。
このような構成では、端子収容部と端子保持部との嵌合とは別に、その周囲で位置決めがされるため、複数個所で位置決めされることで、さらに精度良く相手側端子と端子との嵌合を行える。
【発明の効果】
【００１５】
本発明によれば、簡素な構成で防水性の確保とノイズ対策を行うことができる。
【図面の簡単な説明】
【００１６】
【図１】本発明の一実施形態に係るコネクタの断面図
【発明を実施するための形態】
【００１７】
＜実施形態＞
本発明の一実施形態を図１によって説明する。
本実施形態は、高電圧用の電線６０が内部に導入されて、機器（例えば、ハイブリッド自動車や電気自動車等の車両のインバータやモータ等）の機器側ケース１００に取り付けられるシールドコネクタ１０を例示している。なお、以下の説明において、上下方向は、図１の上下方向を基準とし、前後方向については、図１の左右方向を基準とし、左方（機器側コネクタ１１０との嵌合方向）を前方とし、右方（機器側コネクタ１１０からの離脱方向）を後方として説明する。また、左右方向については、前方から見たときの左右を基準とする。
【００１８】
機器側ケース１００は、導電性材料から形成されており、機器側コネクタ１１０と合わせて剛体として扱うことができる。この機器側ケース１００は、機器側ケース１００の内外を開通する形態で開口してなるフード部１０１を有している。このフード部１０１の内部が取付孔１０５とされている。そして、機器側ケース１００の内部には、シールドコネクタ１０と嵌合可能な機器側コネクタ１１０がシールドコネクタ１０と嵌合方向に対向する位置に配設されている。なお、機器については、機器側ケース１００及び機器側コネクタ１１０の一部のみを図示し、他の部分は図面上省略されている。
【００１９】
機器側コネクタ１１０の一部が、フード部１０１内に配されている。そして、フード部１０１内に配されている機器側コネクタ１１０は、シールドコネクタ１０の端子保持部３１を挿入可能な凹形状の端子収容部１１１と、この端子収容部１１１の奥壁から突出して設けられたタブ状の機器側端子１１３とを有している。また、機器側コネクタ１１０のシールドコネクタ１０との機器側当接面１１０Ａには、シールドコネクタ１０に設けられた位置決めピン３５を挿入可能な位置決め穴１１５が形成されており、位置決めピン３５を挿入することで、機器側端子１１３とシールドコネクタ１０の雌型端子５０との位置合わせを可能にする。
【００２０】
シールドコネクタ１０は、合成樹脂製のハウジング２０と、ハウジング２０内に収容される一対の雌型端子５０と、雌型端子５０に接続される電線６０と、ハウジング２０と電線６０の一部を覆う導電性ゴム７０とを備えて構成されている。
【００２１】
ハウジング２０は、断面視略Ｌ字状をなし、雌型端子５０を収容するハウジング本体部３０と、電線６０のシールドパイプ１５０側の箇所を保持する電線保持部４０とから構成されている。
【００２２】
ハウジング本体部３０には、その前面から突出して端子収容部１１１に挿入可能な端子保持部３１が設けられている。端子保持部３１は、端子収容部１１１の内周よりその外周が若干小さめに作られており、端子収容部１１１との間でクリアランスが設けられている。また、端子保持部３１からハウジング本体部３０の後端に向かって左右方向（ハウジング本体部３０の幅方向）に横並びとなる一対のキャビティ３３が設けられており、一対のキャビティ３３は、隔壁によって仕切られた状態となっている。キャビティ３３内には、雌型端子５０がそれぞれ抜け止めされた状態で保持されており、その後端からは、一対の電線６０が後方に引き出されている。
【００２３】
雌型端子５０は、機器側コネクタ１１０に設けられた雄型（タブ状）の機器側端子１１３に接続される角筒状の端子接続部５１と、この端子接続部５１の後方に連なって電線６０において露出した芯線６１の端末に圧着されるバレル部５３とを備えて構成されている。
【００２４】
また、ハウジング本体部３０の機器側コネクタ１１０とのハウジング側当接面３０Ａには、位置決め穴１１５に挿入可能なピン状の位置決めピン３５が設けられている。この位置決めピン３５と位置決め穴１１５とが位置合わせの役割を果たすことで、雌型端子５０と機器側端子１１３とが嵌合可能となる。
【００２５】
なお、一般的に、機器側ケース及び機器側コネクタは公差が大きく、端子位置を合わせるためにコネクタ側が合わせに行く必要があり、端子収容部分はフローティング支持とすることがよく行われている。本実施形態では、端子保持部３１の外周が端子収容部１１１の内周より小さく形成されており、クリアランスがあるため、端子収容部１１１内で端子保持部３１が若干移動可能とされている。その一方で、機器側端子１１３と位置決め穴１１５の公差は小さくなっている。機器側コネクタ１１０を成形する際に、位置決め穴１１５を設けるために金型上にピン状の突起が形成されることで位置決め穴１１５が形成され、金型の所定位置に機器側端子１１３を差し込むことで機器側端子１１３が位置決めされる。そのため、位置決め穴１１５と機器側端子１１３の位置は金型によって定まるため、比較的公差が発生しにくくなっている。位置決め穴１１５と機器側端子１１３との公差が小さくなっているため、位置決めピン３５によって位置合わせがされ、位置合わせされた位置に合わせて端子収容部１１１内で端子保持部３１が移動可能となっているため、雌型端子５０と機器側端子１１３との位置合わせ及び嵌合が可能になる。
【００２６】
そして、ハウジング本体部３０の下端には、後方に延伸する電線保持部４０が形成されている。電線保持部４０には、電線６０を挿通させて保持する挿通孔４１が形成されている。挿通孔４１は、電線６０の絶縁被覆６３を保持可能な程度の大きさとされており、かつ、電線６０の芯線６１が容易に挿通可能な大きさとされている。電線保持部４０が、ハウジング本体部３０と一体に成形されており、そのハウジング本体部３０がその下端部でボルトＢＴによって機器側コネクタ１１０に固定されていることで、電線６０を経由して伝わってくる振動の伝播を防ぐことができる。
【００２７】
電線６０は、複数の金属素線からなる可撓性を有する芯線６１が絶縁被覆６３によって覆われた構成とされている。この電線６０には、高圧の直流電流が流されており、シールドコネクタ１０にはこの電線６０が２本配線されている。そして、芯線６１は軸線方向と交差する方向に撓み可能な程度の可撓性を有しており、この芯線６１が絶縁被覆６３に覆われることによって電線６０が形成されている。
【００２８】
また、電線保持部４０の上端から雌型端子５０のバレル部５３までの間の絶縁被覆６３が剥ぎ取られることで、可撓性を有する芯線露出部６５が形成されている。このシールドコネクタ１０は、ヒートサイクルによって高温と低温に曝されることで、雌型端子５０と機器側端子１１３の端子間嵌合において微摺動摩耗の発生する虞がある。しかし、芯線露出部６５でむき出しになった芯線６１の撓み及び伸び縮みによってこの微摺動摩耗を防止することが可能となる。また、撓む箇所を形成するために編組線などを利用するのに比べて、部品点数を少なくすることができる。さらに、仮に電線保持部４０で遮られない振動があっても、外部から電線６０を伝わってくる振動を芯線露出部６５において吸収させることができるようになっている。そのため、振動が雌型端子５０と機器側端子１１３の嵌合部に伝わることがない。
【００２９】
さらに、本実施形態の電線６０は、高電圧用の電線であることから絶縁被覆６３が分厚くて剛性が高く、かつ、曲げ半径を小さくすることができないところ、電線６０の方向を変える電線保持部４０とハウジング本体部３０との間で、絶縁被覆６３を剥ぎ取った芯線露出部６５を形成することで、芯線露出部６５の曲げ半径を小さくしている。これにより、本実施形態のような高電圧用の電線６０であっても、ハウジング２０内を配索し易くすることができ、シールドコネクタ１０の小型化が行いやすくなる。
【００３０】
なお、電線６０は、金属製のシールドパイプ１５０に挿通してシールドコネクタ１０近傍まで配線されている。シールドパイプ１５０は、バッテリーとインバータとの間やインバータとモータとの間等に配索されるワイヤハーネスなどの電線を配線する際に用いられ、高電圧の電流が流れる電線６０の発するノイズなどを遮蔽するために用いられている。シールドパイプ１５０の軸方向は、機器側コネクタ１１０とシールドコネクタ１０との嵌合方向に略直交する方向に配されている。
【００３１】
そして、シールドパイプ１５０と機器側ケース１００のフード部１０１との間に導電性ゴム７０が配されている。導電性ゴム７０は、筒型のエルボ状の形状をしており、ハウジング２０及び芯線露出部６５を覆っている。また、導電性ゴム７０は、ゴム材料に金属やカーボンブラックなどを添加して導電性を付加したもので、ゴムの柔軟性、防水性を備えた上で導電性を有している。そして、フード部１０１の外径がシールドパイプ１５０の外径よりも大きいため、導電性ゴム７０はエルボ状の角部を挟んでその内径が異なるものとされている。つまり、フード部１０１側の端部７０Ａの内径はシールドパイプ１５０側の端部７０Ｂの内径よりも大きくなっている。また、導電性ゴム７０の端部７０Ａの内径はフード部１０１の外径に水密可能に嵌め込み可能な大きさとされており、端部７０Ｂの内径は、シールドパイプ１５０の外径に水密状態に嵌め込み可能な大きさとされている。
【００３２】
この導電性ゴム７０の端部７０Ａは、フード部１０１の外側に結束バンド７５によって水密状態に固定されている。また、導電性ゴム７０の端部７０Ｂは、シールドパイプ１５０のシールドコネクタ１０側の端部の外側に結束バンド７５によって水密状態に固定されている。このように、導電性ゴム７０がシールドパイプ１５０と機器側ケース１００に水密状態に固定されることで、ハウジング２０と芯線露出部６５が導電性ゴムに覆われている。そのため、導電性ゴム７０によって、シールドコネクタ１０の防水性を確保しつつ、シールドパイプ１５０から機器側ケース１００の間が電気的に接続されることになる。また、汎用品である結束バンド７５を用いることで、専用部材を使う場合に比べて部品コストを下げることが可能になる。
【００３３】
本実施形態は以上のような構成であって、続いてその作用を説明する。
まず、シールドパイプ１５０から二本の電線６０を引き出して、各電線６０の端部において、絶縁被覆６３を皮剥ぎする。このとき、本実施形態では、通常よりも絶縁被覆６３大きく皮剥ぎし、電線保持部４０に保持される位置の手前まで芯線６１を露出させることにより、電線６０の端部に芯線露出部６５を形成する。そして、導電性ゴム７０の端部７０Ｂ側から各電線６０を先通しする。
【００３４】
次に、各電線６０を電線保持部４０の挿通孔４１に挿通し、その絶縁被覆６３部分で電線保持部４０が電線６０を保持する。そして、芯線６１の端部に雌型端子５０を圧着する。そして、芯線露出部６５が曲げられて、雌型端子５０をハウジング本体部３０のキャビティ３３に挿入して、雌型端子５０がハウジング本体部３０内に抜け止めされた状態で保持されることにより、電線６０がハウジング本体部３０と電線保持部４０とに保持され、その間の芯線露出部６５が曲げられた状態となる。
【００３５】
そして、端子保持部３１が端子収容部１１１に挿入が開始され、あらかた位置合わせがされた上で、位置決めピン３５と位置決め穴１１５で位置合わせされることで、端子保持部３１が端子収容部１１１内で雌型端子５０と機器側端子１１３が嵌合可能なように移動される。そのままシールドコネクタ１０が前方に移動して、雌型端子５０の端子接続部５１と機器側端子１１３が接続される。シールドコネクタ１０のハウジング側当接面３０Ａと機器側コネクタ１１０の機器側当接面１１０Ａとが当接すると、ハウジング本体部３０がボルトＢＴによって機器側コネクタ１１０にボルト止めされて固定される。これらの作業の際に、フード部１０１内に機器側コネクタ１１０の一部が配されていることで、ハウジング本体部３０の大半がフード部１０１外に露出しており、作業が行いやすくなっている。
【００３６】
そして、先通しされていた導電性ゴム７０をフード部１０１側に伸ばして、ハウジング２０と芯線露出部６５を導電性ゴム７０が覆う。導電性ゴム７０の端部７０Ａがフード部１０１に覆いかぶされて、水密状態に結束バンド７５によって固定され、導電性ゴム７０の端部７０Ｂがシールドパイプ１５０の端部に覆いかぶされて、水密状態に結束バンド７５で固定される。
【００３７】
以上のように本実施形態によれば、筒状の導電性ゴム７０によってハウジング２０及び芯線露出部６５を覆うことが可能となっている。また、導電性ゴム７０の両端でそれぞれシールドパイプ１５０と機器側ケース１００に水密状態で固定されることから、シールドコネクタ１０の防水性を確保することが可能となる。また、導電性ゴム７０がシールドパイプ１５０と機器側ケース１００を電気的に接続することになるため、ノイズ対策も可能となる。さらに、機器側ケース１００とシールドパイプ１５０の間の防水とノイズ対策の機能を導電性ゴム７０で行うことになるため、従来のものに比べて部品点数及び工数の削減が可能となる。特に従来の防水用のシールドコネクタでは、部品間ごとに防水用のリング等が必要となっていたため、非常に部品点数が多く作業工程も煩雑になっていた。しかし、本実施形態では、防水を導電性ゴム７０のみで行うことができ、非常に作業性に優れている。
【００３８】
また、ハウジング２０が機器側ケース１００に嵌合されるハウジング本体部３０を有しており、ハウジング本体部３０の嵌合方向と、シールドパイプ１５０の軸方向とが交差している。
このような構成では、ハウジング本体部３０の嵌合方向とシールドパイプ１５０の軸方向が交差しているため、通常の板金形成によるシールドシェルを用いた場合には、構造が複雑化しやすくなる。そこで、本実施形態のように導電性ゴム７０を用いることが好適である。
【００３９】
また、ハウジング２０は、電線保持部４０がハウジング本体部３０から一体となって突出する構成となっており、ハウジング本体部３０は機器側コネクタ１１０にボルト止めされている。
このような構成では、電線保持部４０で電線６０を保持しており、ハウジング本体部３０が剛体である機器側コネクタ１１０にボルト止めされているため、電線６０を通じて伝わってくる振動の伝播を防ぐことができる。つまり、電線６０側から伝わってくる振動を電線保持部４０で遮断することが可能になる。
【００４０】
また、雌型端子５０と機器側端子１１３とは嵌合により接続しており、電線６０は被覆電線であって、ハウジング本体部３０と電線保持部４０との間で露出した電線６０の被覆が剥ぎ取られて、芯線６１がむき出しになることで撓みやすくなっている。
このような構成では、ヒートサイクルによって高温と低温に曝されることで発生する雌型端子５０と機器側端子１１３との端子間嵌合における微摺動摩耗を、むき出しになった芯線６１部分の撓み及び伸び縮みによって防止することが可能となる。また、撓む箇所を形成するために編組線などを利用するのに比べて、部品点数を少なくすることができる。
【００４１】
また、導電性ゴム７０は、機器側ケース１００のフード部１０１に固定される端部７０Ａ及びシールドパイプ１５０に固定される端部７０Ｂにおいて結束バンド７５で固定されている。
このような構成では、結束バンド７５で導電性ゴム７０の端部を固定することで機器側ケース１００及びシールドパイプ１５０に導電性ゴム７０が固定されるため、専用部材などが必要なく、固定も容易になる。
【００４２】
また、機器側ケース１００の機器側コネクタ１１０には、機器側端子１１３を収容する端子収容部１１１が形成されており、ハウジング本体部３０には、雌型端子５０を収容しつつ、端子収容部１１１と嵌合可能な端子保持部３１が形成されており、前記端子収容部と前記端子保持部とが凹凸嵌合することで、前記相手側端子と前記端子とを位置決めする。
このような構成では、ハウジング本体部３０と機器側コネクタ１１０との間で位置決めがされることになり、機器側端子１１３と雌型端子５０との嵌合が行いやすくなる。
【００４３】
端子収容部１１１の周囲に位置決め穴１１５が形成されており、ハウジング本体部３０には、位置決め穴１１５に挿入可能な位置決めピン３５が形成されており、前記位置決め穴１１５と位置決めピン３５とが凹凸嵌合することで、機器側端子１１３と雌型端子５０とを補助的に位置決めする。
このような構成では、端子収容部１１１と端子保持部３１との嵌合とは別に、精度が出やすい位置決め穴１１５との嵌合によって機器側端子１１３と雌型端子５０とで位置決めがされるため、複数個所で位置決めされることで、さらに精度良く機器側端子１１３と雌型端子５０との嵌合を行える。
【００４４】
＜他の実施形態＞
本発明は上記記述及び図面によって説明した実施形態に限定されるものではなく、例えば次のような実施形態も本発明の技術的範囲に含まれる。
（１）上記実施形態では、導電性ゴム７０は、カーボンブラックなどを添加して導電性をもたせたものとしたが、ゴムの表面に金属配線を施したものでもよいし、編組線の上にゴムをかぶせていても良い。
（２）上記実施形態では、導電性ゴム７０の固定に結束バンド７５を用いたが、金属クランプなどの他の留め具を用いても良いし、圧入や係合など他の固定手段を用いても良い。
【００４５】
（３）上記実施形態では、ハウジング本体部３０と電線保持部４０とは一体になっていたが、別々であっても良い。その場合には、電線保持部はハウジング本体部もしくは機器側ケースもしくは機器側コネクタに固定されていることが望ましい。
（４）上記実施形態では、ハウジング本体部３０に位置決めピン３５を形成し、機器側コネクタ１１０に位置合わせ穴１１５を形成して、その嵌合によって凹凸嵌合を行っていたが、ハウジング本体部３０に凹を形成し、機器側コネクタ１１０に凸を形成して凹凸嵌合をするようにしても良い。
（５）上記実施形態では、位置合わせを位置決めピン３５と位置決め穴１１５によって行っていたが、位置決めピン３５と位置決め穴１１５をなくし、端子収容部１１１と端子保持部３１とが嵌合して位置合わせが可能なようにしても良い。その場合に、機器側コネクタ１１０の端子収容部１１１と端子保持部３１との間のクリアランスをほぼなくしても良い。なお、その際に端子収容部と端子保持部の凹凸嵌合関係が、逆になっても良い。
【００４６】
（６）上記実施形態では、露出した部分の電線６０は、絶縁被覆６３が剥ぎ取られて芯線６１のみの芯線露出部６５とされていたが、絶縁被覆６３が剥ぎ取られていなくても良い。また、電線６０と編組線を繋げて撓み可能な部分を形成しても良い。
（７）上記実施形態では、電線６０は高電圧用の被覆電線とされていたが、高電圧用に限らず他の被覆電線であっても良い。
【００４７】
（８）上記実施形態では、シールドパイプ１５０は、機器側コネクタ１１０の嵌合方向に直交するように配されていたが、直交以外の異なる方向であっても良いし、軸方向と嵌合方向が同一であっても良い。
（９）上記実施形態では、ボルトＢＴが機器側コネクタ１１０に固定されていたが、ボルトＢＴが固定されるのは、剛体として扱える相手側部材であれば、機器側ケース１００でも良いし、相手側（機器側）の他の部材でも良い。
【００４８】
（１０）上記実施形態では、雌型端子５０とされていたが、シールドコネクタ１０側が雄側で機器側コネクタ１１０側が雌側となるようにしても良い。
（１１）上記実施形態では、相手側部材として機器側コネクタ１１０が例示されていたが、端子を固定するものであれば、機器側ケース１００内に配された端子台などでも良い。
【符号の説明】
【００４９】
１０…シールドコネクタ（コネクタ）
２０…ハウジング
３０…ハウジング本体部
３１…端子保持部
３５…位置決めピン
４０…電線保持部
５０…雌型端子（端子）
６０…電線
６１…芯線
６３…絶縁被覆（被覆）
６５…芯線露出部
７０…導電性ゴム
７５…結束バンド
１００…機器側ケース（相手側筐体）
１０１…フード部
１１０…機器側コネクタ（相手側部材）
１１１…端子収容部
１１３…機器側端子（相手側端子）
１１５…位置決め穴
【図１】
2015122249.tif 000003